(57)【要約】【課題】特にコウイカを捕獲するのに適した頭足類釣り用漁具、より詳しくはルアーと生餌の結合によって頭足類が警戒心を和らげるようにして釣果の向上をはかるようにした頭足類釣り用漁具を提供する。【解決手段】上端に釣糸が連結されるリング（１１）が備えられ、内側には生餌（Ｂ）を閉じこめるための収容部（１２）が格子枠状に形成され、前記収容部（１２）に閉じこめられた生餌（Ｂ）が外部に露出された状態を維持するように構成されたルアー胴体（１０）と、前記ルアー胴体（１０）の下端部に結合されるフック針（３０）とを含んでなる。【選択図】  図５
2019097560.tif 000002
【特許請求の範囲】
【請求項１】
透明又は半透明の樹脂から、頭足類が好んでいる餌であるエビ状の外形に形成され、上端に釣糸が連結されるリング（１１）が備えられ、内側にはエビ生餌を閉じこめるための収容部（１２）が格子枠状に形成され、前記収容部（１２）に閉じこめられたエビ生餌が外部に露出された状態を維持するように構成されたルアー胴体（１０）と、
前記収容部（１２）の反対側に分離可能に結合される蓋（２０）と、
前記ルアー胴体（１０）の下端部に結合されるフック針（３０）とを含んでなることを特徴とする、頭足類釣り用漁具。
【請求項２】
前記蓋（２０）は格子枠状を成し、前記蓋（２０）の上端にはルアー胴体（１０）のリング（１１）の外周に嵌合されるように環状嵌合部（２１）が形成され、前記蓋（２０）の下端にはルアー胴体（１０）の下端部に弾性結合されるように一側が開放した弾性結合部（２２）が形成されたことを特徴とする、請求項１に記載の頭足類釣り用漁具。
【請求項３】
前記ルアー胴体（１０）の左右外側には連結ピン（１５）が形成され、この連結ピン（１５）には合成樹脂からブロー成形によって内部が空いた状態の平衡維持及び浮力調節具（４０）が分離可能に結合されることを特徴とする、請求項１又は２に記載の頭足類釣り用漁具。
【発明の詳細な説明】
【技術分野】
【０００１】
本発明は頭足類、特にコウイカを捕獲するのに適した頭足類釣り用漁具に関し、より詳しくはルアーと生餌の結合によって頭足類が警戒心を和らげるようにして誘引力の極大化によって釣果の向上をはかるようにした頭足類釣り用漁具に関する。
【背景技術】
【０００２】
一般に、コウイカ、イカ、イイダコ、アオリイカ、タコなどの頭足類は練り餌のような餌ではない、餌木のような専用ルアーを使って直接捕獲する。好奇心の高い頭足類を捕獲するためには、使用者がルアーを操作して頭足類がルアーに形成された針にかかったときに引き上げる方式、つまりひったくる方式で捕獲する。
【０００３】
このような頭足類釣り用漁具に係わる従来技術として、特許文献１の‘イイダコ釣り仕掛け’が開示されている。これは重りと結合された針が独自で上下及び回転作動して生きているイイダコのような運動性を付与することによって誘引機能を向上させるようになっているが、針の本体上部に結合された装飾物が単純な玉状になっているから、生餌のような誘引力を有することはできなく、対象魚が警戒心を有することになるため、釣果の向上に限界がある欠点がある。
【０００４】
特許文献２の‘イイダコ及びコウイカ捕獲道具’は魚類状に形成される餌木部（ルアー）の下端に放射状に第１及び第２針が備えられ、前記餌木部が夜光素材又は光を反射する素材からなり、餌木部に第３針（背針）が備えられることにより、引き上げるときに捕獲された頭足類の脱出が難しくなるようになっているが、餌木部そのものが単純なエビのような模型になっているから、まるで生きているような動きが具現できなくて頭足類が警戒心を解かなくなるので、これもやはり誘引力及び釣果の向上に限界がある。
【０００５】
特許文献３の‘誘引機能が向上した頭足類捕獲用釣り漁具’は透光性の本体に発光体が埋め込まれ、発光体によって本体が発光し、光によって頭足類を誘引するようになっているが、発光による誘引にもかかわらず頭足類が警戒心を有するため、誘引力及び釣果の向上に限界がある。
【０００６】
一方、特許文献４の‘運動方向調節機能を有するルアー釣り用人造餌’は魚状になった胴体の両側面に一対の羽部が角度調節可能に付着されており、羽の角度調節によって、釣糸を巻く動作によって餌が多様な方向に運動することができるようにして、対象魚が実際の餌と間違えるように誘引力を高めているが、運動性を有する人造餌の誘引力にもかかわらず依然として対象魚が警戒心を全く解かなくて釣果の向上に限界があった。
【先行技術文献】
【特許文献】
【０００７】
【特許文献１】大韓民国実用新案登録第２０−０４７４６６６号明細書（２０１４．０９．２６．）
【０００８】
【特許文献２】大韓民国実用新案公開第２０−２０１６−０００３７０７号明細書（２０１６．１０．２６．）
【０００９】
【特許文献３】大韓民国特許公開第１０−２０１６−００９７７３７号明細書（２０１６．０８．１８．）
【００１０】
【特許文献４】大韓民国特許公開第１０−２０１５−００１６７６７号明細書（２０１５．０２．１３．）
【発明の概要】
【発明が解決しようとする課題】
【００１１】
本発明は前述した問題点を解決するために案出されたもので、本発明の目的は、ルアーと生餌の結合によって頭足類の警戒心を和らげて釣果を向上させることができ、漁具からの生餌の脱落又は脱出を効果的に防止して生餌を節約することができる新しい形態の頭足類釣り用漁具を提供することにある。
【課題を解決するための手段】
【００１２】
前述した目的を達成するために、本発明の一実施例は、上端部に釣糸が連結されるリングが備えられ、内側には生餌を閉じこめるための収容部が格子枠状に形成され、前記収容部に閉じこめられた生餌が外部に露出された状態を維持するように構成されたルアー胴体と、前記収容部の反対側に分離可能に結合される蓋と、前記ルアー胴体の下端部に結合されるフック針とを含んでなる頭足類釣り用漁具を提供する。
【００１３】
好適な実施例において、前記ルアー胴体の左右外側には平衡維持及び浮力調節具が分離可能に結合される。
【発明の効果】
【００１４】
本発明によれば、ルアー胴体が透明又は半透明の樹脂から製作され、内部に生餌を閉じこめておくことができる収容部が形成されることにより、生餌を入れて蓋を閉めれば、ルアーと生餌の組合せによって頭足類が警戒心を解いて実際の餌と思って触手を出すようにして誘引力を極大化することによって釣果の向上をはかることができるとともに、生餌は収容部に閉じこめられた状態を完全に維持することになるので、生餌の損失を最小化して生餌の繰り返し使用が可能になる有用な効果を有する。
【図面の簡単な説明】
【００１５】
【図１】本発明の一実施例による頭足類釣り用漁具の斜視図である。
【図２】図１に示した頭足類釣り用漁具の分解斜視図である。
【図３】図１に示した頭足類釣り用漁具の平面図である。
【図４】図１に示した頭足類釣り用漁具の正面図である。
【図５】ルアー胴体の内部に生餌を入れるために蓋を開放した状態を示す図である。
【図６】ルアー胴体の内部に生餌を閉じこめた状態を示す図である。
【発明を実施するための形態】
【００１６】
以下、本発明を限定しない好適な実施例を添付図面に基づいて詳細に説明する。
【００１７】
図１〜図６は本発明の一実施例による頭足類釣り用漁具を示す。この頭足類釣り用漁具は、上端に釣糸（図示せず）が連結されるリング１１が備えられ、内側には生餌を閉じこめるための収容部１２が格子枠状に形成され、前記収容部１２に閉じこめられた生餌が外部に露出された状態を維持するように構成されたルアー胴体１０と、前記ルアー胴体１０の下端部に結合されるフック針３０とを含んでなる。
【００１８】
本実施例において、前記ルアー胴体１０は、外形がまるで実際のエビのように尖っている頭部と、太い胴部と、尖っている尻尾部とを有する形態になっている。これは、頭足類、特にコウイカが好んでいる餌であるエビ状になっているので、ルアー胴体１０の内部に生餌を入れなくても水中でコウイカがルアー胴体１０の概略の外形のみでもエビと間違えて誘引できるようになっており、内部に生餌を閉じこめた状態でも生餌の触角と足は外部に露出された状態で活発に動くことになるので、コウイカが実際の大きな餌と見誤って捕獲される確率を高めることができるものである。
【００１９】
一方、本実施例において、前記ルアー胴体１０は、収容部１２の反対側に蓋２０が分離可能に結合されている。これは、収容部１２に生餌を入れて閉めることで、生餌が脱出するとか外部に離脱することを防止するためのものであり、前記蓋２０は概して開放した格子枠状を成しており、蓋２０の上端には、ルアー胴体１０の上端部１３の外周に嵌合されるように環状嵌合部２１が形成され、蓋２０の下端には、ルアー胴体１０の下端部１４に弾性的に結合されるように一側が開放した弾性結合部２２が形成されている。よって、図５に示したように、弾性結合部２２をルアー胴体１０の下端部１４から分離することによって蓋２０がルアー胴体１０から分離できるように構成され、さらに収容部１２に生餌を入れて蓋２０を閉めることができるように構成される。
【００２０】
前記ルアー胴体１０は、生餌のサイズによって大エビ、中エビ又は小エビを収容することができるように、相異なるサイズに製作されることができる。ルアー胴体１０の内部の収容部１２に閉じこめられた生餌は蓋２０によって閉じこめられたままで押し付けられて脱出することができない状態で触角と足が外部に突出して自由に動けるようにすることによって誘引効果を極大化することができる。
【００２１】
前記ルアー胴体１０の下端部１４に形成されるフック針３０はルアー胴体１０の射出成形時に金型の内部にインサートして一体に射出することによって形成される。フック針３０は図面に示した１段のフック針状に限られなく、２段又は３段のフック針状を適用することもできるのは言うまでもなく、前記フック針３０は放射状に多数が形成されているので、捕獲力を極大化することができる。
【００２２】
一方、前記ルアー胴体１０の左右外側には平衡維持及び浮力調節具４０が分離可能に結合されている。これはボートの方向舵（ラダー）又は魚のひれのような形態を成しており、ルアー胴体１０の左右側から後方に向かって傾いた形態に形成された連結ピン１５に結合部４１が締り嵌め方式で結合され、結合部４１は連結ピン１５に結合された状態で角度調節できるので、ルアー胴体１０が水中で適正な角度で立てられた状態で平衡を維持するようにする役割をする。さらに、釣糸を引っぱるとき、ルアー胴体１０が平衡維持及び浮力調節具４０のセットされた角度によって運動方向が設定されるので、頭足類が実際に生きている餌が動いていると間違えるようにして誘引力を極大化することができるようにするものである。
【００２３】
前記平衡維持及び浮力調節具４０は合成樹脂からブロー成形によって内部が空いた状態を成して適正な浮力を有するように構成されており、ルアー胴体１０が左右平衡を維持することができるようにするとともにルアー胴体１０の前方が後方より上げられた状態で回転できないようにして、頭足類が一番好んでいる餌の角度である４５度を維持するようにすることにより、コウイカが餌を実際のエビと間違えて触手を出して掴むようにする効果もある。
【００２４】
本実施例において、前記ルアー胴体１０と平衡維持及び浮力調節具４０は透明又は半透明の合成樹脂から成形し、前記蓋２０は透明又は半透明の多様な色相の合成樹脂から成形することが好ましい。
【００２５】
このように構成された本実施例による頭足類釣り用漁具は、図５及び図６に示したように、蓋２０を開いてエビ生餌Ｂをルアー胴体１０の内側の収容部１２に入れてから蓋２０を閉めた状態で水中に投下すれば、捕獲しようとする対象魚である頭足類、特にコウイカがルアー胴体１０とルアー胴体１０の内部に収容された生餌Ｂによって誘引される。このとき、ルアー胴体１０は透明又は半透明の素材からなっているので、内部に閉じこめられた生餌Ｂがそのまま透視され、生餌の触角と足が動くことを見て頭足類が警戒心を解くようにするとともに、生餌はルアー胴体１０と蓋２０によって閉じこめられた状態を維持して、餌が漁具から脱落するとか脱出することを効果的に防止することができるので、生餌の損失率も最小化することができ、よって釣果を向上させることができる利点があるものである。
【符号の説明】
【００２６】
１    頭足類釣り用漁具
１０    ルアー胴体
１１    リング
１２    収容部
１３    上端部
１４    下端部
１５    連結ピン
２０    カバー
２１    結合部
２２    弾性結合部
３０    フック針
４０    平衡維持及び浮力調節具
４１    結合部
Ｂ    生餌
【図１】
2019097560.tif 000003
【図２】
2019097560.tif 000004
【図３】
2019097560.tif 000005
【図４】
2019097560.tif 000006
【図５】
2019097560.tif 000007
【図６】
2019097560.tif 000008